(57)【要約】【課題】  台車、家具または各種機器などの被取付体の下部に取り付けられるキャスターであって、アジャストボルトを備えることで前記被取付体を位置決めおよび高さ調整でき、しかもアジャストボルトのぐらつきが少ないキャスターの提供。【解決手段】  台車、家具または各種機器などの被取付体３の下部に、取付座４が取り付けられる。取付座４に旋回可能に設けられる本体フレーム５は、合成樹脂にて一体形成されて構成され、上下方向へ細長い貫通穴２６を有する筒保持部１２を有する。本体フレーム５には、車輪６が回転可能に保持される。筒保持部１２の貫通穴２６には、回転不能で上下動可能に筒体７がはめ込まれる。筒体７の中空穴８には、アジャストボルト２が進退可能にねじ込まれる。アジャストボルト２を筒体７から下方へ伸長させて、筒体７の上端部を取付座４の下面に当接しつつ、車輪６に代えて受座３１で着地させることができる。【選択図】      図６
0003141203.tif 000002
【実用新案登録請求の範囲】
【請求項１】
被取付体への取付座と、
合成樹脂にて一体形成されて構成され、上下方向へ細長い貫通穴を有する筒保持部が形成され、前記取付座に旋回可能に設けられる本体フレームと、
この本体フレームに回転可能に保持される車輪と、
前記筒保持部の貫通穴に、回転不能で上下動可能にはめ込まれる筒体と、
この筒体の中空穴に進退可能にねじ込まれるアジャストボルトと
を備えることを特徴とするアジャストボルト付きキャスター。
【請求項２】
前記筒保持部の貫通穴は、上端部が断面六角穴に形成される一方、それより下端部は断面円形穴に形成されており、
前記筒体の外周部は、上端部が断面六角部に形成される一方、それより下端部は断面円形部に形成されており、
前記筒保持部の六角穴に、前記筒体の六角部がはめ込まれると共に、前記筒保持部の円形穴に、前記筒体の円形部がはめ込まれることで、前記筒保持部に前記筒体が回転不能で上下動可能に設けられ、
前記アジャストボルトは、床面に接地される受座と、この受座から上方へ延出すると共に前記受座に対し回転自在なボルト本体と、このボルト本体に進退可能にねじ込まれるロックナットとを備え、
前記筒体の中空穴は、ネジ穴に形成されており、このネジ穴に、前記ボルト本体が進退可能にねじ込まれ、
前記筒体から前記ボルト本体を下方へ伸長させて、前記筒体の上端部を前記取付座に当接しつつ、前記車輪に代えて前記受座を着地させる一方、前記筒体へ前記ボルト本体をねじ込んで短縮させて、前記取付座への前記筒体の当接を解除しつつ、前記受座に代えて前記車輪を着地させ、この間、前記六角部は前記六角穴に沿って移動し、前記六角部と前記六角穴とのはめ込み状態が維持される
ことを特徴とする請求項１に記載のアジャストボルト付きキャスター。
【請求項３】
合成樹脂にて一体形成される前記本体フレームは、下方へ二股分かれして一対の支持片が形成されると共に、上下方向へ細長い貫通穴を有する前記筒保持部が形成され、
前記車輪は、前記支持片間に回転可能に保持され、
前記本体フレームは、上壁中央に旋回軸が差し込まれる穴が形成されると共に、この穴の内周部に、軸受がその外輪をインサート成形により保持されて設けられ、
この軸受の内輪に前記取付座を介して旋回軸がはめ込まれることで、前記本体フレームに保持された車輪は、前記取付座に対し旋回可能とされる
ことを特徴とする請求項１または請求項２に記載のアジャストボルト付きキャスター。
【請求項４】
前記筒保持部は、前記本体フレームの上壁から前記支持片の下端部まで延出して形成される
ことを特徴とする請求項３に記載のアジャストボルト付きキャスター。
【考案の詳細な説明】
【技術分野】
【０００１】
本考案は、台車、家具または各種機器などの下部に取り付けられるキャスターに関するものである。特に、車輪を浮かせた状態で、前記台車などを位置決めおよび高さ調整できるアジャストボルト付きキャスターに関するものである。
【背景技術】
【０００２】
出願人は、先に、アジャスター付きキャスターについて提案し、既に実用新案登録第３１２９３４４号を受けている。このキャスターは、各種機器などの下部に取り付けられ、所望時に、車輪を浮かせた状態で、前記機器などを位置決めし高さ調整できる構成である。
【考案の開示】
【考案が解決しようとする課題】
【０００３】
アジャストボルト付きキャスターにおいては、アジャストボルトのぐらつきが問題となる。そこで、本考案が解決しようとする課題は、従来とは異なる構成のアジャストボルト付きキャスターの提供と、そのアジャストボルトのぐらつきの軽減にある。
【課題を解決するための手段】
【０００４】
本考案は、前記課題を解決するためになされたもので、被取付体への取付座と、合成樹脂にて一体形成されて構成され、上下方向へ細長い貫通穴を有する筒保持部が形成され、前記取付座に旋回可能に設けられる本体フレームと、この本体フレームに回転可能に保持される車輪と、前記筒保持部の貫通穴に、回転不能で上下動可能にはめ込まれる筒体と、この筒体の中空穴に進退可能にねじ込まれるアジャストボルトとを備えることを特徴とするアジャストボルト付きキャスターである。
【０００５】
また好ましくは上記構成に加えて、前記筒保持部の貫通穴は、上端部が断面六角穴に形成される一方、それより下端部は断面円形穴に形成されており、前記筒体の外周部は、上端部が断面六角部に形成される一方、それより下端部は断面円形部に形成されており、前記筒保持部の六角穴に、前記筒体の六角部がはめ込まれると共に、前記筒保持部の円形穴に、前記筒体の円形部がはめ込まれることで、前記筒保持部に前記筒体が回転不能で上下動可能に設けられ、前記アジャストボルトは、床面に接地される受座と、この受座から上方へ延出すると共に前記受座に対し回転自在なボルト本体と、このボルト本体に進退可能にねじ込まれるロックナットとを備え、前記筒体の中空穴は、ネジ穴に形成されており、このネジ穴に、前記ボルト本体が進退可能にねじ込まれ、前記筒体から前記ボルト本体を下方へ伸長させて、前記筒体の上端部を前記取付座に当接しつつ、前記車輪に代えて前記受座を着地させる一方、前記筒体へ前記ボルト本体をねじ込んで短縮させて、前記取付座への前記筒体の当接を解除しつつ、前記受座に代えて前記車輪を着地させ、この間、前記六角部は前記六角穴に沿って移動し、前記六角部と前記六角穴とのはめ込み状態が維持されることを特徴とするアジャストボルト付きキャスターである。
【０００６】
また好ましくは上記いずれかの構成に加えて、合成樹脂にて一体形成される前記本体フレームは、下方へ二股分かれして一対の支持片が形成されると共に、上下方向へ細長い貫通穴を有する前記筒保持部が形成され、前記車輪は、前記支持片間に回転可能に保持され、前記本体フレームは、上壁中央に旋回軸が差し込まれる穴が形成されると共に、この穴の内周部に、軸受がその外輪をインサート成形により保持されて設けられ、この軸受の内輪に前記取付座を介して旋回軸がはめ込まれることで、前記本体フレームに保持された車輪は、前記取付座に対し旋回可能とされることを特徴とするアジャストボルト付きキャスターである。
【０００７】
さらに好ましくは上記構成に加えて、前記筒保持部は、前記本体フレームの上壁から前記支持片の下端部まで延出して形成されることを特徴とするアジャストボルト付きキャスターである。
【考案の効果】
【０００８】
本考案によれば、従来とは異なる構成のアジャストボルト付きキャスターを提供することができ、この構成によれば、アジャストボルトのぐらつきを軽減することができる。
【考案を実施するための最良の形態】
【０００９】
以下、本考案のアジャストボルト付きキャスターについて、実施例に基づきさらに詳細に説明する。
【００１０】
図１から図６は、本考案のアジャストボルト付きキャスター１の一実施例を示す図であり、図１は正面図、図２は右側面図、図３は平面図、図４はIV−IV断面図、図５はＶ−Ｖ断面図、図６はVI−VI断面図であり、それぞれアジャストボルト２を短縮した状態を示している。また、図７は、本実施例のキャスター１の右側面図であり、アジャストボルト２を伸長した状態を示している。
【００１１】
図６に示すように、本実施例のキャスター１は、被取付体３への取付座４と、この取付座４に回転可能に設けられる本体フレーム５と、この本体フレーム５に回転可能に設けられる車輪６と、前記本体フレーム５に対し回転不能で設定範囲を上下動可能に設けられる筒体７と、この筒体７の中空穴８に進退可能にねじ込まれるアジャストボルト２とを備える。
【００１２】
被取付体３は、キャスター１が取り付けられる対象物である。被取付体３は、特に問わないが、たとえば、台車、家具または各種機器などとされる。
【００１３】
本実施例の取付座４は、金属製で略矩形板状に形成され、その四隅部には、それぞれ上下方向へ貫通して取付穴９（図３）が形成されている。この取付穴９は、キャスター１を被取付体３に取り付ける際に利用される。
【００１４】
本実施例の本体フレーム５は、下向き略Ｕ字形状に形成されている。具体的には、本体フレーム５は、略水平に配置される上壁１０の左右両端部に、板状の支持片１１が、垂直下方へ延出して形成されている。本体フレーム５の前後方向一端部（図６において左側）は、上壁１０が前後方向一方へ行くに従って下方へ延出する略円弧状に形成されている。一方、本体フレーム５の前後方向他端部（図６において右側）には、円筒状の筒保持部１２が上下方向へ沿って形成されている。図示例では、筒保持部１２は、本体フレーム５の上壁１０から支持片１１の下端部まで延出して形成されている。
【００１５】
このような構成の本体フレーム５は、合成樹脂により一体形成されて構成される。すなわち、上壁１０、一対の支持片１１，１１、および筒保持部１２が、合成樹脂により一体形成される。その際、上壁１０の中央には、旋回軸１３が差し込まれる穴１４が、上下方向へ貫通して形成されると共に、この穴１４の内周部に、軸受１５がその外輪１６をインサート成形により保持されて設けられる。軸受１５は、略円筒状の外輪１６と内輪１７とが転動体１８を介して回転自在に構成されている。本実施例では、軸受１５として、玉軸受、特に深溝玉軸受が好適に用いられる。
【００１６】
このようにして軸受１５が保持された本体フレーム５は、旋回軸１３を介して取付座４に取り付けられる。具体的には、本体フレーム５の上壁１０の上部に、取付座４が重ね合わされるように配置され、取付座４の中央部に形成された軸挿通穴１９を介して、旋回軸１３が軸受１５の内輪１７にはめ込まれる。取付座４は、軸挿通穴１９の周囲が円形状に僅かに下方へ凹んだ形状とされており、この凹部２０の下端部が座金２１を介して軸受１５の内輪１７の上端面に当接される。旋回軸１３は、上端部にツバ状の頭部２２が形成されており、この頭部２２が取付座４の凹部２０に収容される。そして、その状態で、旋回軸１３の下端部が座金２３を介してかしめられる。旋回軸１３の下端部をかしめると、旋回軸１３の頭部２２とかしめ部２４との間で、取付座４および上下の座金２１，２３を介して軸受１５の内輪１７が挟み込まれて固定される。
【００１７】
本体フレーム５の左右の支持片１１，１１間には、車軸２５が架け渡され、この車軸２５に、車輪６が回転自在に保持される。但し、本体フレーム５に車輪６を回転自在に保持する構成は、これに限らない。たとえば、本体フレーム５の上壁１０に垂直下方へ延出して一つの支持片１１のみを設け、この支持片１１に左右方向へ貫通して車軸２５を設け、支持片１１を挟み込むように、支持片１１の左右に車輪６を設けてもよい。
【００１８】
本体フレーム５に設けた円筒状の筒保持部１２は、上下方向へ沿って貫通穴２６を有する。この貫通穴２６は、上端部が断面六角穴２７に形成される一方、それより下端部は断面円形穴２８に形成されている。このような筒保持部１２には、筒体７がはめ込まれる。
【００１９】
筒体７は、上下方向へ細長い円筒状とされ、上端部外周部は断面六角部２９に形成されている。すなわち、筒体７の外周部は、上端部が断面六角部２９に形成される一方、それより下端部は断面円形部３０に形成されている。そして、筒保持部１２の六角穴２７に、筒体７の六角部２９がはめ込まれると共に、筒保持部１２の円形穴２８に、筒体７の円形部３０がはめ込まれる。これにより、筒体７は、筒保持部１２に対し回転不能で上下動可能に設けられる。
【００２０】
筒体７は、六角部２９の上端面が取付座４の下面に当接される位置と、六角部２９の下端面（六角部２９と円形部３０との段付き部）が筒保持部１２の六角穴２７の底面（六角穴２７と円形穴２８との段付き部）に当接される位置との間で、筒保持部１２に対し上下動可能とされる。筒保持部１２に対し筒体７が上方へ相対移動して、筒体７の上端面が取付座４の下面に当接された状態でも、六角部２９の下部が六角穴２７の上部にはめ込まれた状態とされる。一方、筒体７の六角部２９の下端面が筒保持部１２の六角穴２７の底面に当接された状態では、筒体７の上端面と取付座４の下面とは当接されない。またその状態では、本実施例では、筒保持部１２の上部から六角部２９が上方へ僅かに突出すると共に、筒保持部１２の下部から円形部３０が下方へ僅かに突出する。このような構成であるから、筒保持部１２に対する筒体７の上下位置に拘わらず、六角部２９と六角穴２７とのはめ込み状態が維持される。
【００２１】
筒体７の内周面は、少なくとも一部がネジ穴とされる。本実施例では、筒体の中空穴８の全体がネジ穴とされる。このネジ穴８には、アジャストボルト２がねじ込まれて設けられる。アジャストボルト２は、床面への当接部となる逆椀状の受座３１と、この受座３１から上方へ延出すると共に受座３１に対し回転自在なボルト本体３２と、このボルト本体３２に進退可能にねじ込まれるロックナット３３とを備える。
【００２２】
受座３１は、円板の中央部が略円錐台形状に上方へ凹んで形成される。これにより、受座３１の中央部には、下方へ開口して略円錐台形状の凹部３４が形成される。また、受座３１の中央部には、凹部３４の上壁を上下に貫通してボルト挿通穴３５が形成される。このボルト挿通穴３５には、ボルト本体３２の下端部が通される。そして、ボルト本体３２は、受座３１に対し回転自在であるが、脱落不能に保持される。
【００２３】
ボルト本体３２は、六角ボルト状とされ、その頭部３７を下方に配置する一方、ボルトの先端を上方へ向けて配置される。ボルト本体３２の頭部３７の下面には、段付き丸棒状の突出部が、下方へ僅かに突出して一体形成されている。そして、この突出部が受座３１のボルト挿通穴３５に通された状態で、前記頭部３７との間で凹部３４の上壁を挟み込むように、止め輪３６がかしめ付けられる。なお、止め輪３６は、受座３１の凹部３４内に収容される。このようにして、止め輪３６と頭部３７との間には、凹部３４の上壁が回転自在で脱落不能に保持される。そして、ボルト本体３２の中途に、ロックナット３３が進退可能に設けられる。
【００２４】
このような構成のアジャストボルト２は、ボルト本体３２の上部が筒体７のネジ穴８に進退可能にねじ込まれて、筒体７を介して本体フレーム５に保持される。筒体７にボルト本体３２をねじ込んで最も短縮させた状態では、図６に示すように、ボルト本体３２の上部が筒体７および筒保持部１２の上部近傍にまで達する。また、上述したとおり、本実施例では、筒保持部１２は、本体フレーム５の上壁１０から支持片１１の下端部まで延出して細長く形成されている。従って、本実施例の構成によれば、筒保持部１２と筒体７との間、および筒体７とボルト本体３２との間のはめ合い部の寸法が十分に確保される。これにより、本体フレーム５に対する筒体７およびアジャストボルト２のぐらつきを防止することができる。
【００２５】
以上のような構成のキャスター１は、台車、家具または各種機器などの被取付体３の下部四隅などに取り付けられて使用される。その際、被取付体３の下面に取付座４を重ね合わせて、取付座４に形成した取付穴９（図３）を介して、ねじ止めなどされる。
【００２６】
いま、図６の状態から図７に示すように、アジャストボルト２を伸長させて、被取付体３を位置決めおよび／または高さ調整する場合について説明する。その場合、筒体７に対するボルト本体３２のねじ込みを緩めて、筒体７の下方へボルト本体３２を伸長させればよい。筒体７は、その六角部２９が本体フレーム５の筒保持部１２の六角穴２７にはめ込まれて、本体フレーム５に対し回転不能であるから、筒体７に対するボルト本体３２の進退は容易に行われる。ボルト本体３２を伸長していくと、やがて受座３１が着地する。筒体７に対するボルト本体３２のねじ込みをさらに緩めると、筒保持部１２に対し筒体７が上方へ相対移動しつつ、筒体７に対しボルト本体３２が伸長する。筒体７の上端面が取付座４の下面に当接すると、筒保持部１２に対し筒体７がそれ以上に上方へ相対移動することが阻止される。その状態で、さらにボルト本体３２を伸長させると、車輪６を浮き上げて、アジャストボルト２にて被取付体３が支持される（図７）。車輪６に代えてアジャストボルト２の受座３１で着地させることで、被取付体３の移動を防止することができる。また、筒体７に対するボルト本体３２の突出量を調整することで、被取付体３の高さ調整を行うことができる。そして、その突出量を固定したい場合には、筒体７の下端部へロックナット３３を締め込めばよい。
【００２７】
逆に、被取付体３を移動させたい場合は、ロックナット３３を緩めた後、ボルト本体３２の頭部３７を回転させて、ボルト本体３２を筒体７へねじ込めばよい。これにより、取付座４への筒体７の当接を解除しつつ、受座３１に代えて車輪６が着地され、車輪６を用いて被取付体３を移動させることができる。その際、取付座４への筒体７の当接が解除されているので、旋回軸１３を中心に、本体フレーム５の車輪６の旋回が可能である。
【００２８】
本考案のキャスターは、前記実施例の構成に限らず、適宜変更可能である。たとえば、前記実施例では、本体フレーム５の筒保持部１２に対し筒体７を回転不能で上下動可能に保持するために、筒保持部１２に六角穴２７を設けると共に、筒体７に六角部２９を形成して、六角穴２７と六角部２９とをはめ合わせたが、このはめ合い形状は、断面六角形状に限らず、断面矩形状などとしてもよい。
【図面の簡単な説明】
【００２９】
【図１】本考案のアジャストボルト付きキャスターの一実施例を示す正面図であり、アジャストボルトを短縮した状態を示している。
【図２】図１のキャスターの右側面図である。
【図３】図１のキャスターの平面図である。
【図４】図２におけるIV−IV断面図である。
【図５】図１におけるＶ−Ｖ断面図である。
【図６】図１におけるVI−VI断面図である。
【図７】図１のキャスターの右側面図であり、アジャストボルトを伸長した状態を示している。
【符号の説明】
【００３０】
１  アジャストボルト付きキャスター
２  アジャストボルト
３  被取付体
４  取付座
５  本体フレーム
６  車輪
７  筒体
８  中空穴（ネジ穴）
１０  上壁
１１  支持片
１２  筒保持部
１３  旋回軸
１４  穴
１５  軸受
１６  外輪
１７  内輪
１８  転動体
２６  貫通穴
２７  六角穴
２８  円形穴
２９  六角部
３０  円形部
３１  受座
３２  ボルト本体
３３  ロックナット
【図１】
0003141203.tif 000003
【図２】
0003141203.tif 000004
【図３】
0003141203.tif 000005
【図４】
0003141203.tif 000006
【図５】
0003141203.tif 000007
【図６】
0003141203.tif 000008
【図７】
0003141203.tif 000009